(57)【特許請求の範囲】
【請求項１】
同一トランスポートストリームによって１つのＨＤＴＶ番組が提供される時間帯と、複数のＳＤＴＶ番組が提供される時間帯とがあるデジタル放送におけるデジタル放送受信機において、
現在選択しているＳＤＴＶ番組選択チャンネルによる放送が休止あるいは終了したときに、現在選択しているＳＤＴＶ番組選択チャンネルに対応するトランスポートストリームによる放送が終了しているか否かを判定する判定手段、
判定手段によって、現在選択しているＳＤＴＶ番組選択チャンネルに対応するトランスポートストリームによる放送が終了していないと判定されたときに、ガイド表示モードに移行し、現在選択しているＳＤＴＶ番組選択チャンネルに対応するトランスポートストリームによって提供されている複数のＳＤＴＶ番組の映像を順次復号処理して多画面表示する表示手段、ならびに
ガイドモード時において、ガイドモードに移行してから所定時間以内に多画面表示された複数のＳＤＴＶ番組から１つの番組を選択するための番組選択指令が入力された場合には、選択されたＳＤＴＶ番組を選局して表示する通常モードに移行させ、上記所定時間内に番組選択指令が入力されなかったときには、上記所定時間経過後に、現在選択されているＳＤＴＶ番組選択チャンネルに対応するＳＤＴＶ番組を選局して表示する通常モードに移行させる手段、
を備えていることを特徴とするデジタル放送受信機。
【請求項２】
同一トランスポートストリームによって１つのＨＤＴＶ番組が提供される時間帯と、複数のＳＤＴＶ番組が提供される時間帯とがあるデジタル放送におけるデジタル放送受信機において、
現在選択されているＳＤＴＶ番組選択チャンネルにおいて新たなＳＤＴＶ番組の放送が開始されたことを検出する検出手段、
現在選択されているＳＤＴＶ番組選択チャンネルにおいて新たなＳＤＴＶ番組の放送が開始されたことが検出されたときに、ガイド表示モードに移行し、現在選択しているＳＤＴＶ番組選択チャンネルに対応するトランスポートストリームによって提供されている複数のＳＤＴＶ番組の映像を順次復号処理して多画面表示する表示手段、ならびに
ガイドモード時において、ガイドモードに移行してから所定時間以内に多画面表示された複数のＳＤＴＶ番組から１つの番組を選択するための番組選択指令が入力された場合には、選択されたＳＤＴＶ番組を選局して表示する通常モードに移行させ、上記所定時間内に番組選択指令が入力されなかったときには、上記所定時間経過後に、現在選択されているＳＤＴＶ番組選択チャンネルに対応するＳＤＴＶ番組を選局して表示する通常モードに移行させる手段、
を備えていることを特徴とするデジタル放送受信機。
【発明の詳細な説明】
【０００１】
【発明の属する技術分野】
この発明は、デジタル放送受信機に関する。
【０００２】
【従来の技術】
放送衛星を使用した衛星デジタルテレビジョン放送サービスにおいては、高精細度テレビジョン（ＨＤＴＶ）放送事業者に対して、ＨＤＴＶ放送を１チャンネル放送することが可能である伝送容量として、１つのトランスポートストリーム（ＴＳ）が割り当てられている。
【０００３】
ＨＤＴＶ信号の伝送所要ビットレートは、約２０Ｍｂｐｓであるが、これに対して標準精細度テレビジョン（ＳＤＴＶ）信号は約６Ｍｂｐｓ程度の伝送所要ビットレートである。したがって１つのトランスポートストリーム（ＴＳ）を使用することによって、３つのＳＤＴＶ信号を多重化して伝送することが可能である。
【０００４】
そこで、ＨＤＴＶ放送事業者は、各々が独立して番組の時間編成を決定し、送信機側でＨＤＴＶ信号とＳＤＴＶ信号とを選択して伝送することになるため、時間帯によって放送される信号フォーマットが異なった形の番組編成となり、ＨＤＴＶ番組およびＳＤＴＶ番組が混在したいわゆるまだら放送が行われることになる。
【０００５】
ユーザが選択できるチャンネルとして、放送事業者毎に割り当てられる放送事業者識別チャンネルと、階層的に放送事業者識別チャンネルの下位レベルに位置づけられ、ＳＤＴＶ信号による多重放送時のＳＤＴＶ番組識別用に割り当てられるサービスチャンネル（ＳＤＴＶ番組選択チャンネル）とが設けられている。
【０００６】
ユーザがある放送事業者チャンネルを選択し、さらに特定のサービスチャンネルを指定しているとき、デジタル放送受信機はその指定されているサービスチャンネルの番組を復号処理して映像出力する。時間が経過することにより番組遷移に依存して信号フォーマットが変化したとしても、受信機としては指定チャンネルの番組を継続的に復号処理して映像出力する。
【０００７】
図６は、デジタル放送受信機における番組遷移表の一例である。
【０００８】
図７は、従来のデジタル放送受信機の番組表示処理手順を示している。
【０００９】
例えば、図６の放送事業者チャンネル１のサービスチャンネルＳＤ１が選択されているものとする。そして、サービスチャンネルＳＤ１で放送されている番組（ＨＤＴＶ番組またはＳＤＴＶ番組）が受信されて放映されているものとする（ステップ４０１）。現在受信中の番組が終了すると（ステップ４０２）、現在選択されているサービスチャンネルＳＤ１による放送が休止または終了しているかどうかのステータスを判定する（ステップ４０３）。
【００１０】
現在選択されているサービスチャンネルＳＤ１による放送が継続されることが認識されると（ステップ４０３でＮＯ）、次の番組開始時に次番組の放送信号フォーマットのステータスを判定し、受信番組がＨＤＴＶであるかあるいはＳＤＴＶであるかを識別し、フォーマットに応じた復号処理を行なう（ステップ４０４）。そして、引き続き信号フォーマットの遷移に関わらず、ＳＤ１チャンネルの映像を出力する（ステップ４０５）。
【００１１】
上記ステップ４０３において、現在選択されているサービスチャンネルＳＤ１による放送が休止または終了していると判定した場合には（ステップ４０３でＹＥＳ）、現在選択されている放送事業者チャンネル１の放送が終了しているか終了していないかにかかわらず、放送終了メッセージを表示する（ステップ４０６、４０７、４０８）。
【００１２】
【発明が解決しようとする課題】
従来のデジタル放送受信機では、ユーザが特定のサービスチャンネル、例えば放送事業者チャンネル１のサービスチャンネルＳＤ１を選択した状態で、ＳＤＴＶ番組を視聴している場合に、ＨＤＴＶへの放送信号フォーマットが切り替わった場合には、同じ放送事業者チャンネルのいずれのサービスチャンネルが選局されていても、上記ＨＤＴＶを共通に受信することができるため、ユーザの立場で放送信号フォーマットの遷移を特別に意識する必要はない。
【００１３】
しかしながら、ＨＤＴＶ番組を視聴中にその番組が終了しＳＤＴＶ番組時間帯に遷移した場合には、上記ＨＤＴＶ番組の前に放送されていたＳＤＴＶ番組視聴時に選局していたサービスチャンネルを継続することになり、ユーザは希望する放送事業者チャンネルを的確に選択しているものの、以前選択したサービスチャンネルがそのまま継続されており、同じ放送事業者チャンネルで他の番組が存在することがわかりにくいため、本来視聴すべきＳＤＴＶ番組の見逃しや、チャンネル選択の混乱を招くことになる。
【００１４】
また、同じ放送事業者チャンネルに存在する複数のサービスチャンネルのうちの一部のサービスチャンネルのみが放送休止あるいは放送終了となった場合には、そのサービスチャンネルの放送終了表示によって、そのサービスチャンネルを提供している放送事業者そのものの放送が終了したと解釈してしまうおそれがある。つまり、視聴している番組放送終了時に、同じ放送事業者チャンネルにおける他のサービスチャンネルで並列して放送されている番組の内容を、ユーザは即座に取得できないため、そのサービスチャンネルを提供している放送事業者そのものの放送が終了したと解釈してしまうおそれがある。
【００１６】
この発明は、現在選択しているＳＤＴＶ番組選択チャンネルによる放送が休止あるいは終了し、かつ現在選択しているＳＤＴＶ番組選択チャンネルに対応するトランスポートストリームによる放送が終了していないときに、現在選択しているＳＤＴＶ番組選択チャンネルに対応するトランスポートストリームによって提供されている全てのＳＤＴＶ番組に関する情報をユーザに知らせることができるようになるデジタル放送受信機を得ることを目的とする。
【００１７】
この発明は、現在選択されているＳＤＴＶ番組選択チャンネルにおいて新たなＳＤＴＶ番組の放送が開始されたときに、現在選択しているＳＤＴＶ番組選択チャンネルに対応するトランスポートストリームによって提供されている全てのＳＤＴＶ番組に関する情報をユーザに知らせることができるようになるデジタル放送受信機を得ることを目的とする。
【００１８】
【課題を解決するための手段】
この発明による第１のデジタル放送受信機は、同一トランスポートストリームによって１つのＨＤＴＶ番組が提供される時間帯と、複数のＳＤＴＶ番組が提供される時間帯とがあるデジタル放送におけるデジタル放送受信機において、現在選択しているＳＤＴＶ番組選択チャンネルによる放送が休止あるいは終了したときに、現在選択しているＳＤＴＶ番組選択チャンネルに対応するトランスポートストリームによる放送が終了しているか否かを判定する判定手段、判定手段によって、現在選択しているＳＤＴＶ番組選択チャンネルに対応するトランスポートストリームによる放送が終了していないと判定されたときに、ガイド表示モードに移行し、現在選択しているＳＤＴＶ番組選択チャンネルに対応するトランスポートストリームによって提供されている複数のＳＤＴＶ番組の映像を順次復号処理して多画面表示する表示手段、ならびにガイドモード時において、ガイドモードに移行してから所定時間以内に多画面表示された複数のＳＤＴＶ番組から１つの番組を選択するための番組選択指令が入力された場合には、選択されたＳＤＴＶ番組を選局して表示する通常モードに移行させ、上記所定時間内に番組選択指令が入力されなかったときには、上記所定時間経過後に、現在選択されているＳＤＴＶ番組選択チャンネルに対応するＳＤＴＶ番組を選局して表示する通常モードに移行させる手段を備えていることを特徴とする。
【００１９】
この発明による第２のデジタル放送受信機は、同一トランスポートストリームによって１つのＨＤＴＶ番組が提供される時間帯と、複数のＳＤＴＶ番組が提供される時間帯とがあるデジタル放送におけるデジタル放送受信機において、現在選択されているＳＤＴＶ番組選択チャンネルにおいて新たなＳＤＴＶ番組の放送が開始されたことを検出する検出手段、現在選択されているＳＤＴＶ番組選択チャンネルにおいて新たなＳＤＴＶ番組の放送が開始されたことが検出されたときに、ガイド表示モードに移行し、現在選択しているＳＤＴＶ番組選択チャンネルに対応するトランスポートストリームによって提供されている複数のＳＤＴＶ番組の映像を順次復号処理して多画面表示する表示手段、ならびにガイドモード時において、ガイドモードに移行してから所定時間以内に多画面表示された複数のＳＤＴＶ番組から１つの番組を選択するための番組選択指令が入力された場合には、選択されたＳＤＴＶ番組を選局して表示する通常モードに移行させ、上記所定時間内に番組選択指令が入力されなかったときには、上記所定時間経過後に、現在選択されているＳＤＴＶ番組選択チャンネルに対応するＳＤＴＶ番組を選局して表示する通常モードに移行させる手段を備えていることを特徴とする。
【００２２】
【発明の実施の形態】
以下、この発明の実施の形態について説明する。
【００２３】
図１は、デジタル放送受信機の概略構成を示している。
【００２４】
アンテナ１０１によって受信されたデジタルテレビジョン放送信号は、デジタルチューナ（ｄｉｇｉｔａｌ  Ｔｕｎｅｒ）１０２により復調され、トランスポートストリーム（ＴＳ）が生成される。デジタルチューナ（ｄｉｇｉｔａｌ  Ｔｕｎｅｒ）１０２によって得られたトランスポートストリームは、ＴＳ分離復号部（ＴＳ  ＤｅＭｕｘ）１０３によって信号内容別に分離復号される。
【００２５】
ＴＳ分離復号部１０３によって分離された音声信号は、音声復号部（Ａｕｄｉｏ  Ｄｅｃｏｄｅｒ）１０４によって復号されてスピーカー１０５より出力される。ＴＳ分離復号部１０３によって分離された映像信号は、映像復号部（Ｖｉｄｅｏ  Ｄｅｃｏｄｅｒ）１０６によって復号された後、信号フォーマット変換部（Ｆｏｒｍａｔ  Ｃｏｎｖｅｒｔｅｒ）１０７および画像処理部（Ｄｉｓｐｌａｙ  Ｐｒｏｃｅｓｓｏｒ）  １０８を介してＣＲＴ１０９へ送られ、番組映像として出力される。映像復号部１０６は、フィールドメモリ（Ｆｉｅｌｄ  Ｍｅｍｏｒｙ）１１０を備えている。
【００２６】
ステータス検出部（Ｓｔａｔｕｓ  Ｄｅｔｅｃｔｏｒ）  １１１およびレジスタ（Ｒｅｇｉｓｔｅｒ）１１２は、放送番組情報の処理を行う。キー操作部１１７からの入力信号は、ユーザインターフェイス処理部（Ｕｓｅｒ  Ｉ／Ｆ）１１６を介してＣＰＵ１１５に送られて処理される。ＣＰＵ１１５には、タイマー（Ｔｉｍｅｒ）  １１４およびメモリ（Ｍｅｍｏｒｙ）１１３が接続されている。ＣＰＵ１１５は、デジタル放送受信機全体の制御を司る。
【００２７】
図２は、図１のデジタル放送受信機による番組表示処理手順を示している。
【００２８】
デジタルテレビジョン放送が、図６に示した番組遷移表のように放送事業者単位でＨＤＴＶ番組とＳＤＴＶ番組とが混在した形でサービスされているものとする。
【００２９】
ユーザによって選択された１つのサービスチャンネルで放送されている番組（ＨＤＴＶ番組またはＳＤＴＶ番組）が受信されて放映されているものとする（ステップ２０１）。ユーザによるキー操作によって、同一ＴＳ内で放送されているＳＤＴＶ番組に関するガイド表示指令が入力されると（ステップ２０２）、ガイドモードが開始される（ステップ２０３）。ガイドモードが開始されると、ガイド表示処理が実行されるが、このガイド表示処理の詳細については後述する。
【００３０】
現在視聴中の番組が終了すると（ステップ２０４）、ＴＳ分離復号部１０３によって分離復号されたステータス情報がステータス検出部１１１によって検出され、レジスタ１１２に記録される。
【００３１】
そして、ステータス検出部１１１によって検出されたステータス情報に基づいて、現在選択されているサービスチャンネルによる放送が休止または終了しているか否かを判定する（ステップ２０５）。
【００３２】
現在選択されているサービスチャンネルによる放送が休止または終了していると判定した場合には、ステータス検出部１１１によって検出されたステータス情報に基づいて、現在選択されている放送事業者チャンネルによる放送が終了したか否かを判定する（ステップ２１１）。現在選択されている放送事業者チャンネルによる放送が終了していると判定した場合には、放送終了画面を出力する（ステップ２１３）。
【００３３】
現在選択されている放送事業者チャンネルによる放送が終了していないと判定した場合には、つまり、同一ＴＳ内の他のサービスチャンネルでＳＤＴＶ番組が放送されていると判定した場合には、ガイドモードが開始される（ステップ２１２）。
【００３４】
一方、ステップ２０５において、現在選択されているサービスチャンネルによる放送が継続されていると判定した場合には、引き続き映像復号部１０６にて映像復号処理を行う。ここで、次の番組の放送が開始されると、ＴＳ分離復号部１０３によって復号されたステータス情報がステータス検出部１１１によって検出され、レジスタ１１２に記録される。
【００３５】
ステータス検出部１１１によって検出されたステータス情報に基づいて、放送信号がＳＤＴＶであるかＨＤＴＶであるかを判定する（ステップ２０７）。放送信号がＨＤＴＶであると判定した場合には、映像復号部１０６を制御し、ＨＤＴＶ番組を受信する（ステップ２１０）。
【００３６】
放送信号がＳＤＴＶであると判定された場合にはＳＤＴＶ番組を受信し（ステップ２０８）、ガイドモードが開始される（ステップ２０９）。
【００３７】
以上のように、この実施の形態では、ユーザのキー操作による番組ガイド表示指令が入力されたとき、現在選択されているサービスチャンネルによる放送が休止または終了しかつ選択されている放送事業者チャンネルによる放送が終了していないとき、および現在選択されているサービスチャンネルにおいて新たなＳＤＴＶ番組の放送が開始されたときに、ガイドモードが開始される（ステップ２０３、２１２、２０９）。
【００３８】
図３は、ガイドモードが開始されたときに実行されるガイド表示処理手順を示している。
【００３９】
ガイド表示処理では、同一ＴＳ内に多重化されている３つのＳＤＴＶ番組を、サービスチャンネルＳＤ１、ＳＤ２、ＳＤ３の順に所定時間間隔毎に復号して表示する（ステップ２３１〜２３６）。このような復号および表示を、順次繰り返して行なう。これにより、現在選局しているサービスチャンネル番組と合わせて、他のサービスチャンネル番組を同一ＴＳ内の裏番組とみなし、例えば図４に示すように、マルチ画面の形で表示させる。
【００４０】
図４の例では、現在選局されているサービスチャンネルによって提供されている番組（表番組）がＳＤＴＶ１であり、同一ＴＳ内の裏番組がＳＤＴＶ２およびＳＤＴＶ３である例を示している。表番組ＳＤＴＶ１は大きな画面で表示され、裏番組ＳＤＴＶ２およびＳＤＴＶ３は小さな画面で表示される。
【００４１】
ユーザは、ユーザのキー操作による番組ガイド表示指令が入力されたとき、現在選択されているサービスチャンネルによる放送が休止または終了しかつ選択されている放送事業者チャンネルによる放送が終了していないとき、および現在選択されているサービスチャンネルにおいて新たなＳＤＴＶ番組の放送が開始されたときに、現在選局されているサービスチャンネルに対応するＴＳ内の全てのサービスチャンネルで放送されているＳＤＴＶ番組の内容を知ることができるようになる。
【００４２】
現在選択されているサービスチャンネルにおいて新たなＳＤＴＶ番組の放送が開始されたときに、現在選局されているサービスチャンネルに対応するＴＳ内の全てのサービスチャンネルで放送されているＳＤＴＶ番組の内容を知ることができるようになるので、ＨＤＴＶ番組からＳＤＴＶ番組に遷移したときには必ず、現在選局されているサービスチャンネルに対応するＴＳ内の全てのサービスチャンネルで放送されているＳＤＴＶ番組の内容を知ることができるようになる。
【００４３】
図５は、ガイドモードが開始されたときに実行される番組選択処理手順を示している。
【００４４】
ガイドモードが開始されると（ステップ２１４）、通常の映像出力画面へ自動復帰するためのガイドモード期間を計時するためのタイマ１１４を作動させ、ガイドモード期間の計時を開始する（ステップ２１５）。ガイドモード期間において、ユーザがキー操作を行なってチャンネルが選択され、選択されたチャンネルに対する選局指令が入力されると（ステップ２１６でＹＥＳ）、ガイドモードを終了させ（ステップ２２０）、選択されたサービスチャンネルのＳＤＴＶ番組を受信する（ステップ２２１）。
【００４５】
ユーザによるチャンネル選択が実行されずに、ガイドモード期間が経過した場合には（ステップ２１７でＹＥＳ）、チャンネルの変更が要求されなかったものと判断してガイドモードを終了させた後（ステップ２１８）、ガイドモード開始前に選択されていたサービスチャンネルの番組受信を再開する（ステップ２１９）。ガイドモード画面から通常の映像画面への復帰は、ユーザのチャンネル選択あるいはタイマ割り込みのいずれかにより実行されることになる。
【００４７】
【発明の効果】
この発明によれば、現在選択しているＳＤＴＶ番組選択チャンネルによる放送が休止あるいは終了し、かつ現在選択しているＳＤＴＶ番組選択チャンネルに対応するトランスポートストリームによる放送が終了していないときに、現在選択しているＳＤＴＶ番組選択チャンネルに対応するトランスポートストリームによって提供されている全てのＳＤＴＶ番組に関する情報をユーザに知らせることができるようになる。
【００４８】
この発明によれば、現在選択されているＳＤＴＶ番組選択チャンネルにおいて新たなＳＤＴＶ番組の放送が開始されたときに、現在選択しているＳＤＴＶ番組選択チャンネルに対応するトランスポートストリームによって提供されている全てのＳＤＴＶ番組に関する情報をユーザに知らせることができるようになる。
【図面の簡単な説明】
【図１】デジタル放送受信機の概略構成を示すブロック図である。
【図２】図１のデジタル放送受信機による番組表示処理手順を示すフローチャートである。
【図３】ガイドモードが開始されたときに実行されるガイド表示処理手順を示すフローチャートである。
【図４】ガイド表示処理によって表示されるマルチ画面を示す模式図である。
【図５】ガイドモードが開始されたときに実行される番組選択処理手順を示すフローチャートである。
【図６】番組遷移表の一例を示す模式図である。
【図７】従来のデジタル放送受信機の番組表示処理手順を示すフローチャートである。
【符号の説明】
１０１  アンテナ
１０２  デジタルチューナ
１０３  ＴＳ分離復号部
１０４  音声復号部
１０６  映像復号部
１０７  信号フォーマット変換部
１０８  画像処理部
１１１  ステータス検出部
１１２  レジスタ
１１３  メモリ
１１４  タイマ
１１５  ＣＰＵ
１１７  キー操作部
【図１】
0003625713.tif 000002
【図２】
0003625713.tif 000003
【図３】
0003625713.tif 000004
【図４】
0003625713.tif 000005
【図５】
0003625713.tif 000006
【図６】
0003625713.tif 000007
【図７】
0003625713.tif 000008